(57)【要約】【課題】内部に空間を有する風防効果の高いマイク室構造においても、高剛性化を実現出来るマイク室構造を有する撮像装置を提案すること。【解決手段】音声信号を記録するためのマイクエレメントを内包するマイクユニットであり、前記マイクエレメントは弾性部材で形成される弾性保持部材に保持され、前記マイクエレメント集音部の前方側の外観部に少なくとも一つ以上の音孔を具備する前記音孔に直交する面までを一体で覆う前記音孔と直交する面に開口部を有する化粧カバーと、前記マイクユニット内部にて前記音孔と前記開口部を連通する空洞を有するマイクユニットにおいて、前記空洞は前記化粧カバーと前記弾性保持部材を保持するマイク保持部を有する内部保持部材の間に形成される、前記マイクエレメントの集音方向と並行に伸びる、内部保持部材に設けられた２つの対称な溝形状であり、前記開口部は前記溝形状に対して直交する方向に長手を採る少なくとの一つ以上のスリット形状である。【選択図】図１０
2015104089.tif 000002
【特許請求の範囲】
【請求項１】
音声信号を記録するためのマイクエレメントを内包するマイクユニットであり、前記マイクエレメントは弾性部材で形成される弾性保持部材に保持され、前記マイクエレメント集音部の前方側の外観部に少なくとも一つ以上の音孔を具備する前記音孔に直交する面までを一体で覆う前記音孔と直交する面に開口部を有する化粧カバーと、前記マイクユニット内部にて前記音孔と前記開口部を連通する空洞を有するマイクユニットにおいて、前記空洞は前記化粧カバーと前記弾性保持部材を保持するマイク保持部を有する内部保持部材の間に形成される、前記マイクエレメントの集音方向と並行に伸びる、内部保持部材に設けられた２つの対称な溝形状であり、前記開口部は前記溝形状に対して直交する方向に長手を採る少なくとの一つ以上のスリット形状であることを特徴とするマイク装置を有する撮像装置。
【請求項２】
前記内部保持部材は、前記溝形状の集音方向側端部に連通する形で凹み形状を２つ有し、前記弾性保持部材は前記凹み形状に接する形で連通部を有することを特徴とする請求項１に記載のマイク装置を有する撮像装置。
【請求項３】
前記化粧カバーの内側では、画像情報を記録するための撮像光学系の開口部を有する前カバーが延伸され、前記化粧カバーの内側で前記マイクエレメントの集音部を正面を除く前記化粧カバーの全域の投影面を覆っていることを特徴とする請求項１又は請求項２に記載のマイク装置を有する撮像装置。
【請求項４】
前記内部保持部材に設けられた２つの凹み形状は、前記スリット形状の後方まで延伸されており、その後端部には、前記内部保持部材の外形形状と同一のリブ形状が配設されていることを特徴とする請求項１乃至請求項３の何れか１項に記載のマイク装置を有する撮像装置。
【請求項５】
前記内部保持部材に設けられた２つの凹み形状は、前記スリット形状の長手方向の幅は、前記スリット形状の幅よりも大きいことを特徴とする請求項１乃至請求項４の何れか１項に記載のマイク装置を有する撮像装置。
【発明の詳細な説明】
【技術分野】
【０００１】
本発明は、マイク装置を有する撮像装置に関し、マイク装置の剛性向上に関するものである。
【背景技術】
【０００２】
撮像装置等の電子機器において、音声等を集音する為のマイク装置が内蔵される。特に屋外で使用される電子機器では、マイク装置の正面にて風が渦を巻くことによって、本来集音したい音声の他に風雑音を記録してしまうことが知られている。この風雑音の影響で、本来集音したかった音声が風雑音によって阻害されたり、音声の再生時、風雑音の耳触りな音でユーザーに不快感を与えてしまうなどの問題が起きる。
【０００３】
このような問題に対して従来では、特許文献１に示すような空間を製品内部空間を設けて風を流すことによって、風雑音による音質の低下が防がれる事が知られている。
【先行技術文献】
【特許文献】
【０００４】
【特許文献１】特開平5-83783号公報
【発明の概要】
【発明が解決しようとする課題】
【０００５】
しかしながら、従来例である特許文献１に記載のマイク装置では、内部に空洞を設ける構成であるため、外部からの衝撃などに対して非常に弱い構成となっており問題であった。
【０００６】
そこで本発明では、内部に空間を有する風防効果の高いマイク室構造においても、高剛性化を実現出来るマイク室構造を有する撮像装置を提案することを目的としている。
【課題を解決するための手段】
【０００７】
前述の目的を達成するため、本出願に係る発明は、音声信号を記録するためのマイクエレメントを内包するマイクユニットであり、前記マイクエレメントは弾性部材で形成される弾性保持部材に保持され、前記マイクエレメント集音部の前方側の外観部に少なくとも一つ以上の音孔を具備する前記音孔に直交する面までを一体で覆う前記音孔と直交する面に開口部を有する化粧カバーと、前記マイクユニット内部にて前記音孔と前記開口部を連通する空洞を有するマイクユニットにおいて、前記空洞は前記化粧カバーと前記弾性保持部材を保持するマイク保持部を有する内部保持部材の間に形成される、前記マイクエレメントの集音方向と略並行に伸びる、内部保持部材に設けられた２つの対称な溝形状であり、前記開口部は前記溝形状に対して直交する方向に長手を採る少なくとの一つ以上のスリット形状であることを特徴とする。
【発明の効果】
【０００８】
以上説明したように、本発明によれば、内部に空間を有する風防効果の高いマイク室構造においても、高剛性化を実現出来るマイク室構造を有する撮像装置を提案することが可能となる。
【図面の簡単な説明】
【０００９】
【図１】本実施例の撮像装置の斜視図
【図２】バリアユニットの構成を示す分解斜視図
【図３】バリアベースユニットの構成を示す分解斜視図
【図４】回動アームユニットの動作を表す図
【図５】バリアレバー保持ユニットの構成を示す分解斜視図
【図６】連結アームの上面図
【図７】バリアユニットを構成する各ユニット間の連結を示す図
【図８】バリアユニットの動作を表した要部の部分断面図
【図９】マイク周辺の各部の配置の位置関係を示す図
【図１０】マイクの保持方法を示す分解斜視図
【図１１（ａ）】マイク保持部ｂの形状を示す図
【図１１（ｂ）】マイク保持部ｂの形状を示す図
【図１１（ｃ）】マイク保持部ｂの形状を示す図
【図１１（ｄ）】マイク保持部ｂの形状を示す図
【図１２（ａ）】マイクエレメントをゴムに組み込んだ状態を示す図
【図１２（ｂ）】マイクエレメントをゴムに組み込んだ状態を示す図
【図１２（ｃ）】マイクエレメントをゴムに組み込んだ状態を示す図
【図１２（ｄ）】マイクエレメントをゴムに組み込んだ状態を示す図
【図１３】マイクスポンジとマイクシートの比較図
【図１４】化粧カバーのマイク部周辺の斜視図
【図１５】前カバーを化粧カバーに組み込んだ状態を示す図
【図１６】マイク保持部への組込みを示す図
【図１７】組立状態での右側マイク部における光軸に垂直な方向での断面図
【図１８】組立状態での右側マイク部における光軸に並行な方向で凹みを通過する断面図
【発明を実施するための形態】
【００１０】
以下に本発明の実施形態を添付図面に基づいて説明する。
【００１１】
［実施の形態］
＜本体部の構成要素説明＞
図１は本実施例のマイク１０３を搭載した撮像装置１００の斜視図である。本実施例の撮像装置１００は、撮影レンズ１０１を保護するバリア１０２を開閉自在に備えており、図１(a)はバリア１０２開状態を示し、図１(b)はバリア１０２閉状態を示している。なお、本実施の形態においては、撮影者から被写体に向かう方向で上下左右とし、被写体側を正面と定義し説明を行う。
【００１２】
まず最初に、図１を用いて、撮像装置１００の構成を説明する。図１に示す本実施例の撮像装置は、撮影レンズ１０１が前玉１０１１を被写体側である正面に向ける形で、正面中央に配置されており、撮影レンズ１０１の上下方向に薄く、左右と後方に広がる扁平な形状となっている。
【００１３】
撮影レンズ１０１はイメージセンサの対角方向で、記録画像範囲が広い、かなりの広角な光学特性を有する撮影レンズである。また、本実施例の撮像装置１００は、携帯時にキズや指紋の付着から、撮影レンズ１０１の前玉１０１１を保護するバリア１０２を開閉自在に備えている。
【００１４】
バリア１０２は後述する機構により、本体側面に設けたバリアレバー１０４の操作に連動して、撮影レンズ前玉１０１１を覆う閉状態から撮影レンズ前玉１０１１が露出する開状態へと動作する。また、撮影レンズ１０１の左右両脇には、入力された音声信号を電気信号に変換する一対のマイク１０３が撮影レンズ前玉１０１１を中心として対称に配置されている。
【００１５】
バリアレバー１０４は、撮像装置１００の右側面側に配置され、撮影者がスライド操作することでバリア１０２を開閉すると共に、撮像装置１００の電源をＯＮ／ＯＦＦさせるものである。
また、この他にも、撮像装置としての機能を果たす為に必要な種々の構成要素を有しているが、構成や機能は本発明の本質にかかわりが少ないため説明を省略する。
【００１６】
＜バリアの説明＞
図２はバリア１０２の構成を示す分解斜視図である。バリア１０２は図２に示すように、バリアベースユニット１１１、バリアレバー保持ユニット１１２、連結アーム１１３、から構成されている。
【００１７】
本実施例のバリア１０２は、撮像装置１００の右側側面に設けたバリアレバー１０４を操作することで、後述する連結アーム１１３が駆動し、後述するようにバリアベースユニット１１１とバリアレバー保持ユニット１１２が連結アーム１１３によって連結され、開閉動作が行われる。
【００１８】
次にバリア１０２を構成している各ユニットに付いて詳細を説明する。
【００１９】
まず最初に、バリアベースユニット１１１に付いて説明する。
【００２０】
＜バリアベースユニットの説明＞
図３はバリアベースユニット１１１の構成を示す分解斜視図である。バリアベースユニット１１１は、バリアベース１１４、根元側アーム１１５と先端側アーム１１６とコイルバネ１１７の３部品によって構成される回動アームユニット１１８、及びシャフト１１９と羽根１２０から構成されているユニットであり、回転動作する機構部材によって羽根１２０が駆動される構造となっている。
【００２１】
バリアベース１１４は、後ろ側に開口したコの時形状をした樹脂部品であり、シャフト１１９を介して回動アームユニット１１８が回動自在に連結されている。
【００２２】
なお、バリアベース１１４は、バリア１０２開時に露出する、撮影レンズ前玉１０１１周囲の外観部１１４１が配置さらた部材で、撮影レンズが挿入される丸穴１１４２が設けられている。図３に示すように、外観部６００の裏面には、後述する撮影レンズ１０１の位置決めを行う係合穴１１４３が設けられている。
【００２３】
シャフト１１９を介してバリアベース１１４に回動可能に固定される根本側回転アーム１１５には、後述する連結アーム１１３との連結ボス１１４１が配置されている。
【００２４】
また、先端側アーム１１６は、摺動性の高いＰＯＭ（ポリアセタール）で形成されており、根本側回転アーム１１５の孔に係合する３本のスライド軸部１１６１ａ、１１６１ｂ、１１６１ｃを有している。
【００２５】
コイルバネ１１７は、根元側回転アーム１１５と先端側アーム１１６の間で、真ん中のスライド軸部１１６１ｂの周囲に自由長よりも圧縮させた状態で配置されている。これにより、根元側回転アーム１１５と先端側アーム１１６を離間する方向に荷重を与えている。なお、根元側回転アーム１１５と先端側アーム１１６は所定の距離を持った状態で保持されている。
【００２６】
上述の構成により、回動アームユニット１１８は、先端側アーム１１６と根本側回転アーム１１５間の距離が、伸縮可能となっている。ここで、スライド軸部１１６１ａ、１１６１ｂ、１１６１ｃは、回転アームユニット１１８の回転軸であるシャフト１１９のラジアル方向に設けられている。また、先端側アーム１１６には、羽根１２０に設けられたバリア連結フック１２０１が連結され、バリア１２０が回動可能に連結されるバリア連結軸１１６２が設けられており、バリア連結軸１１６２は、バリア回転アームユニット１１８の回転軸であるシャフト１１９と並行に設けられている。
【００２７】
＜回動アームユニットの説明＞
次に、回動アームユニット１１８の動作に付いて説明する。図４は、回動アームユニット１１８の動作を表す図である。図４(a)は、バリア閉状態における、回転アームユニット１１８の動作を表している。図４(b)は、バリア開閉の中間位置での、回転アームユニット１１８の動作を表している。図４(c)は、バリア開状態における、回転アームユニット１１８の動作を表している。
【００２８】
図４(a)〜図４(c)に示すように、本実施例のバリア１０２は、バリアの閉位置からバリアの開位置の間で、回動アームユニット１１８が伸縮しながら９０°回動する。それに伴い、バリア１０２は、バリア連結フック１２０１を中心として、回動アームユニット１１８の回転方向と相反方向に回動する。
【００２９】
なお、回動アームユニット１１８における、先端側アーム１１６と根本側回転アーム１１５間の距離は、図４(a)に示すバリア閉状態と図４(c)に示すバリア開状態に対して、バリア開閉の中間位置で最も短くなるように設定されている。
【００３０】
＜バリアレバー保持ユニットの説明＞
次に、バリアレバー保持ユニット１１２に付いて説明する。図５はバリアレバー保持ユニット１１２の構成を示す分解斜視図である。バリアレバー保持ユニット１１２は、図５に示すように、バリアレバー保持部材１２１とバリアレバー押さえカバー１２４の間にボール１２２、コイルスプリング１２３、上面に長溝１０４１を有するバリアレバー１０４、を挟む形で、バリアレバー保持部材１２１に設けられた爪１２１１とバリアレバー押さえカバー１２４に設けられたフック部１２４１が係止されることによって固定されている。
【００３１】
なお、バリアレバー保持部材１２１とバリアレバー押さえカバー１２４の間で、ボール１２２、コイルスプリング１２３、バリアレバー１０４の３部品は一体となって前後方向に摺動可能となっている。
【００３２】
＜連結アームの説明＞
次に、連結アーム１１３の詳細を説明する。図６は連結アーム１１３の上面図である。本実施例の連結アーム１１３は、図６に示すように、板金によって形成された連結アームプレート１１３１に、連結アームの回転軸を成す回転スリーブ１１３２と、連結ピン１１３３をカシメて構成されている。そして、連結アーム１１３には、連結ピン１１３３と、回転スリーブ１１３２を挟んで向かい側に、連結孔１１３４が配置されている。なお、図６  に示すように連結孔１１３４は、単純な長穴ではなく、先端から連結アーム回転中心に向かうにつれて、穴が広がる形状となっている。
【００３３】
＜各ユニット間の連結の説明＞
次に、バリアベースユニット１１１、バリアレバー保持ユニット１１２、連結アーム１１３、の連結に付いて説明する。図７は、バリア１０２を構成する各ユニット間の連結を示す図である。図７に示すように、連結アーム１１３は、バリアベース１１４の上面に設けた連結アーム回転軸１１４１に、連結アームの回転スリーブ１１３２を挿入することで、バリアベース１１４に対して回動可能に軸支されている。それと共に、連結ピン１１３３はバリアレバー１０４の長溝１０４１と係合されバリアレバー保持ユニット１１２と連結されている。そして、根本側回転アーム１１５に設けられた連結アームとの連結ボス１１５１が連結孔１１３４に貫通する形でバリアベースユニット１１１と連結される。
【００３４】
＜バリアの開閉動作の説明＞
次に、本実施例のバリア１０２における、バリアレバー１０４の動作と、バリアベースユニット１１１の開閉動作の連動に関して説明を行う。まず、バリア１０２の閉状態から開状態への動作の連動に関して説明をする。図８は、ユーザによるバリアレバー１０４操作と、バリア１０２の連動動作を表した要部の部分断面図である。なお、図８(a)は、バリア閉状態を表しており、図８(b)は、バリア開状態を表している。
【００３５】
本実施例のバリア１０２は、図８(a)に示すバリア閉状態では、前述した回転アームユニット１１８の付勢力によってバリア閉方向に閉じられた状態となっている。
【００３６】
バリアレバー１０４は、連結ピン１１３３で連結アーム１１３と連結されており、バリアレバー１０４を前方（図８（b）の矢印Ａ方向）に動作させると、連結アーム１１３が回転スリーブ１１３２を中心として、反時計まわりに回動する（図８（b）の矢印Ｂ方向）。この時、連結アーム１１３には、根本側回転アーム１１５に設けた連結ボス１１５１が当節し、回転アームユニット１１８と係合している。これにより、連結アーム１１３から根本側回転アーム１１５に設けた連結ボス１１５１に、回転モーメントが加えられ、回転アームユニット１１８は、バリア開方向である時計回り方向に動作する（図８（b）の矢印Ｃ方向）。
【００３７】
さらに、電源レバーを前方に動作させると、回転アームユニット１１８が中立位置を僅かに超えた所で、回転アームユニット１１８の付勢力が反転し、自発的にバリア開き方向に回動し始める。これによって、回転アームユニット１１８の連結ボス１１５１は、バリア連結アーム１１３の連結孔１１３４側面から一旦離れ、連結孔の対向側に当接するように乗り移る。この時、バリア連結アームの連結孔１１３４からは、連結アーム１１３の動作を助長する方向に荷重が印加され、図８(b)に示す開状態まで羽根１２０は円弧軌跡で移行する。
【００３８】
次にバリア１０２の開状態から閉状態への動作の連動に関して説明をする。レバー１０４を後方に動作させると、連結アーム１１３が回転スリーブ１１３２を中心として、反時計まわりに回動し、前述の閉状態から開状態への動作の逆手順を踏み、図８(a)に示す閉状態へと移行する。
【００３９】
なお、非常に広角な画角を有する撮影レンズを搭載する撮像装置に、バリア機構を搭載する際には、従来から一般的に普及している平板状のバリアでは、バリア羽根を画角から退避するために非常に広大な領域が必要になってしまう。しかし、本実施例に示すように円弧状の軌跡で画角から退避する事によって、最小の領域でバリア機構を構成する事が可能になり、撮像装置の小型化に大きく貢献する事が出来る。
【００４０】
＜マイク周辺の各部の位置関係の説明＞
次にマイク周辺の各部の位置関係について説明する。図９は、撮像装置１００を上側から見たマイク周辺の各部の配置の位置関係を示す図である。
【００４１】
本実施例の撮像装置１００においては、図９に示すように、右側のマイク１０３ａは、バリア１０２が開閉の動作を行う際の羽根１２０の円弧状の軌跡であるバリア軌跡１２９の前側で、撮像装置１００の正面及び右側側面の2面に跨る形で配置されている。このバリア軌跡１２０の前側に配置された、右側のマイク１０３ａは撮像レンズ１０１の前玉１０１１の最前面部よりも、所定の量αだけ前側に凸した形状となっている。
【００４２】
また、左側のマイク１０３ｂは、右側のマイク１０３ａと撮像レンズ１０１の光軸を挟んで対称な位置に配置されており、こちらも前玉１０１１よりも前側に凸した位置に撮像装置１００の正面及び左側側面の2面にまたがる形で配置されている。すなわち本実施例の撮像装置１００では、マイク１０３が最前面部となっている。さらに、撮像レンズ１０１の画角１１０よりも後ろ側の領域に配置されているため、マイク１０３は撮像装置１００の最前面部を構成しつつも、撮影している画角に写り込む等の影響が無いものである。
【００４３】
＜マイク保持方法の説明＞
次に、マイク１０３の保持方法に関して詳細を説明する。図１０はマイクの保持方法を示す分解斜視図である。
【００４４】
本実施例のマイク１０３は、図１０に示すように、マイク保持部ａ１１４５及びマイク保持部ｂ１２１２、一対のマイクエレメント１０３１、一対のマイクゴム１０３２、一対のマイクスポンジ１２５、一対のマイクシート１２６、前カバー１２７、化粧カバー１２８から構成されている。
【００４５】
以下にマイク１０３を構成する各部の詳細を説明する。本実施例の撮像装置１００では、図１０に示すように、バリア１０２に、正面側に開口を持つ箱形状のマイク保持部ａ１１４５及びマイク保持部ｂ１２１２が、レンズ１０１の光軸を挟んで正面から見て対称となるよう設けられている。なお、マイク保持部ａ１１４５はバリアベース１１４に、マイク保持部ｂ１２１２はバリアレバー保持部材１２１にそれぞれ設けられている。
【００４６】
ここで、マイク保持部の詳細形状を説明する。マイク保持部は左右対称に配置されているため、ここでは右側のマイク保持部ｂ１２１２を用いて説明する。
【００４７】
＜マイク保持部の説明＞
図１１（ａ）〜（ｄ）はマイク保持部ｂ１２１２の形状を示す図である。図１１(a)は、斜視図である。図１１(b)は正面図である。図１１(c)は右側側面図である。図１１(d)は図１１(c)のX-Xでの断面図であり、側壁の形状を示す図である。
【００４８】
マイク保持部ｂ１２１２は、図１１(a)及び 図１１(b)に示すように前述とおりバリアレバー保持部材１２１に設けられた正面側に向けて開口を有する箱形状となっている。そしてその一部に切り欠き１２１３を有している。また、箱形状の内側には上下左右にリブ形状１２１４が複数配置されている。
【００４９】
また、箱形状となっているマイク保持部ｂ１２１２の右側の壁を構成している側壁１２１５の外側は、図１１(d)に示すように、凹み１２１６が光軸に対して上下対称に設けられている。この凹み１２１６は、バリアレバー保持部材１２１の外形形状と最凸部を同じ頂点とする、外形形状を形成するＲ１よりも小さな曲率Ｒ２のＲで形成されている。そして、最凸部より、左側に所定の量αの箇所で、垂直方向に形成され、バリアレバー保持部材１２１の外形形状と合流するという形状をしている。これにより、バリアレバー保持部材１２１の右側側面は外形形状から一部凹んでいる形状となっている。なお側壁１２１５の外側に形成されている凹み１２１６は、図１１(c)に示すように、バリアレバー保持部材１２１の最前面部より、後ろ側に光軸１３０に平行に所定の量βだけ伸延される形となっている。そして、側壁１２１５の後ろ側には上下方向に伸びる受けリブ１２１７が設けられており、この形状はバリアレバー保持部材１２１の外形形状を形成するＲ１と同一のものとなっている。
【００５０】
そして、バリアレバー保持部材１２１の正面と右側側面の公差する稜部には、溝１２１８が光軸に対して上下対称に設けられている。この溝１２１８はバリアレバー保持部材１２１の最前面部よりも凹となる形状であり、この溝１２１８はマイク保持部ｂ１２１２と側壁に設けられている凹み１２１６を連通するものである。そして、凹み１２１６に挟まれた中央部はバリアレバー保持部材１２１の最前面部と同一高さとなっている。
【００５１】
＜マイクエレメント及びゴムの説明＞
次にマイクエレメント１０３１及びゴム１０３２について詳細を説明する。図１２（ａ）〜（ｄ）はマイクエレメント１０３１をゴム１０３２に組み込んだ状態を示す絵である。
【００５２】
図１２(a)は、正面側からの斜視図である。図１２(b)は背面側からの斜視図である。図１２(b)は正面図である。図１２(d)は図１２(c)のY-Yでの断面図である。
【００５３】
図１２(a)及び図１２(b)に示すように、音声等の空気振動を振動板を介して電気信号に変換するマイクエレメント１０３１は、正面に向けて設けられている集音部１０３３及び、背面に設けられている電気的接点部１０３４を覆わない開口部を有したゴム等の弾性部材１０３２で包配されている。そして、前述の電気的接点部１０３４に不図示のマイクワイヤーが半田付けされている。このマイクワイヤーは撮像装置１００内部に配置されている制御基板（不図示）と電気的に接続されており、集音部１０３３から得られた音声信号はマイクエレメント１０３１内部にて電気信号に変換された後に、マイクワイヤーを通じて制御基板に送られ、所定の処理が行われれるものとなる。なお、マイクワイヤーは前述の切り欠き１２１３を通ることで、マイク保持部ｂ１２１２から製品内部へと伸延されている。
【００５４】
＜ゴムの詳細説明＞
次に、ゴム１０３２の形状に関して詳細を図１２を用いて説明する。マイクゴム１０３２は、前述のとおり正面側に、マイクエレメント１０３１の集音部１０３３よりも大きい正面開口部１１３５を有しておりその開口の回りにはベース面１１３６よりも正面側に凸となる縁部１０３７が輪状に配置されている。そして、縁部１０３７には、その一部を切り欠く形で、底面がベース面１０３６と同一の高さであるスリット１０３９が設けられている。なお、前述のスリット１０３９は、上下方向光軸対称に一対配置されている。
【００５５】
また図１２(d)に示すように、縁部１０３７で囲まれた内側面１０３２ａは、ベース面１０３６よりも一段低い凹部となっている。
【００５６】
＜マイクスポンジの詳細説明＞
図１０に示すマイクスポンジ１２５は所定の開口率を有し弾性力を持つ多孔質樹脂部材であり、音の通過を許しながら、風圧の通過を阻止し、音圧がマイクエレメント１０３１の集音部１０３３に対して直接当たる事を防止するものである。なお本部品は、組み込み状態では所定の量だけ前後方向に圧縮された状態となる。
【００５７】
＜マイクシートの詳細説明＞
図１０に示すマイクシート１２６は、直径数十μm程度の極細のポリエステル繊維を綾織りしたメッシュ状のものであり、マイクスポンジ１２５よりも開口率は小さく、かつ厚みは薄いものとなっている。
さらに、図１３はマイクスポンジとマイクシートの比較図であるが、その投影形状は図１３に示すようにマイクスポンジ１２５よりも大きいものとなっている。
【００５８】
＜前カバーの詳細説明＞
図１０に示す前カバー１２７は、撮影レンズ１０１の前玉１０１１周辺の正面外観を構成している樹脂カバーである。また、その中央部には撮影レンズ１０１及びバリアベース１１４の外観部１１４１が露出する事が可能であり、かつレンズ１０１の画角１１０に入らない開口形状１２７１を有している。
【００５９】
なお、開口形状１２７１は、レンズ１０１の画角範囲外からの有害な光線によって生じるフレアやゴーストの影響を避けるため、画角範囲外からの不要光を遮光するフード形状となっている。また、前カバー１２７には、組み込み状態でマイクエレメント１０３１と、後述の化粧カバー１２８に挟まれる領域には、マイクエレメント１０３１の集音部よりも大きくマイクスポンジ１２５の外形よりも小さな、前後に貫通した穴１２７２を有している。
【００６０】
＜化粧カバーの詳細説明＞
図１０に示す化粧カバー１２８は、アルミの絞り加工にて形成された撮像装置１００の正面側外観カバーであり、中央部が左右両側よりも凹しており、その凹の中央部には、前カバー１２７の開口形状１２７１周辺の外観部が露出するすることが可能な開口部１２８１を有している。なお、その絞りの深さはマイク１０３を覆う程度の絞り深さとなっている。なお、化粧カバー１２８は撮像装置１００の内部において、グランド部とビスによって締結されており、電気的に接続されている。
【００６１】
本撮像装置１００は金属で出来た化粧カバー１２８によってマイク１０３を覆う構成となっており、外部から電波ノイズが飛来したとしても、化粧カバー１２８がシールド部材として働くため、マイク１０３にノイズ信号が乗ることを軽減する事が可能である。つまりは、高音質での記録が可能となる。
【００６２】
図１４は化粧カバーのマイク部周辺の斜視図である。化粧カバー１２８のマイク１０３の正面部を覆う部分は小さな音孔を均一に配列させたパンチングメタル１２８２になっている。また、化粧カバー１２８の左右両側面には上下方向に長手を取る、スリット形状１２８３が複数設けられている。
【００６３】
＜前カバーと化粧カバーの関係説明＞
図１５は、前カバーを化粧カバーに組み込んだ状態を示す図であるが、前カバー１２７は図１５に示すように、組立状態では撮像装置１００の内部で、化粧カバー１２８の正面側内側の略全面を覆う形状となっている。
【００６４】
これにより、化粧カバー１２８はアルミで出来ているため、衝撃により変形するなど、外力に弱いものとなっているが、化粧カバー１２８の正面側内側の略全面を覆って支えているため正面や角部に対して衝撃等が加えられた際に、化粧カバー１２８が変形する事を抑制しており、撮像装置１００の高剛性化を実現している。
【００６５】
図１６はマイク保持部ｂにマイクエレメント周辺部材を組み込んだ状態を示す図である。
【００６６】
＜マイクにおける各部の関係説明＞
マイクエレメント１０３１は、前述のマイク保持部ａ１１４５及びマイク保持部ｂ１２１２の中にゴム１０３２に内包される形で配置されている。この時、図１６に示すようにゴム１０３２は組み込み状態では、マイク保持部ｂ１２１２の内部でリブ形状１２１４とのみ干渉する形で圧縮する構成となっている。リブ形状１２１４でのみ圧縮しているそのため挿入時の抵抗力が小さく、組立性が非常に優れる構成となっている。また、ゴム１０３２と本体側との接触面積が非常に小さいため、筺体を伝わってくる振動がマイクエレメント１０３１に伝わる事を抑制する事ができるため、記録した音声情報にノイズが乗ることを抑制する事が可能となる。また、マイクスポンジ１２５は、縁部１０３７の内側に入る形で配置されている。
【００６７】
また、マイク保持部ｂ１２１２の中にゴム１０３２を組み込んだ状態では、図１６に示すように、マイク保持部ｂ１２１２に設けられている溝１２１８と、ゴム１０３２に設けられているスリット１０３９との上下方向の位置は程同一であり、隣接する形となる。
【００６８】
図１７は組立状態での右側マイク部における光軸に対して垂直な面での断面図である。マイク保持部ｂ１２１２の外側には凹み１２１６が設けられているため、マイク保持部ｂ１２１２と化粧カバー１２８の内側との間には、所定の空間が設けられることとなり空気が通り抜ける事が可能になる。
【００６９】
凹み１２１６の上下方向の幅の方が、スリット形状１２８３の上下方向の幅よりも、大きく設定されている。また、前述のように凹み１２１６の最凸部は、バリアレバー保持部材１２１の最凸部と同一頂点である。そして、本実実施例の撮像装置１００においては、最凸部はスリット形状１２８３の略中央部に設定されている。以上のことより、スリット形状１２８３の裏側では、スリット形状１２８３の上下及び中央部の３箇所においてバリアレバー保持部材１２１との距離が近く、その３箇所に挟まれた領域には空間が設定される構成となる。
【００７０】
スリット形状１２８３は開口部であるため、その他の部位に比べて外力に対して非常に弱い形状であるが、前述のように開口部の上下及び中央で支える事によって、外側からの外力に対しては非常に強固な物とすることが可能となり、撮像装置１００の高剛性化を実現している。
【００７１】
図１８は、組立状態での右側マイク部における光軸に対して並行な方向の、凹み１２１６を通過する断面図である。
【００７２】
マイク部１０３では、図１８に示すように、前側から順に、外観を構成する化粧カバー１２８、前カバー１２７、マイクシート１２６、マイクスポンジ１２５、ゴム１０３２に内包されたマイクエレメント１０３１、そしてマイク保持部ｂ１２１２の順に配置されている。
【００７３】
この時、マイクスポンジ１２５は、前述したようにゴム１０３２の縁部１０３７で囲まれた凹内に収まる形で配置されているが、図１８を見て分かるとおり、マイクスポンジ１２５とマイクエレメント１０３１の間にはゴム１０３２の内側面１０３２ａが挟まる構成となる。そのため、マイクスポンジ１２５の裏側とマイクエレメント１０３１は接触する事無く、所定の空間を開けて配置されることとなる。
【００７４】
マイクシート１２６はマイクスポンジ１２５と、前カバー１２７の後ろ側面の間に挟まれる形で密着して配置されている。なお、マイクスポンジ１２５の弾性によって、マイクシート１２６は前カバー１２７の後ろ側に対して押し付けられるため、マイクシート１２６はマイクスポンジ１２５、および前カバー１２７に密着する形で配置されている。またこの時、前述したようにマイクスポンジ１２５は前カバーの穴１２７２よりも大きく設定されているため、マイクシート１２６で穴１２７２周辺を、前カバー１２７に対して隙間無く均一に押し付ける事が可能となっている。そのため、マイクシート１２６は、捩れたり、拉げたりすること無く組立を行う事が出来る。そして、マイクシート１２６の前面と化粧カバー１２８の裏面との間には前カバー１２７の穴１２７２の厚み分だけ必ず所定の空間が設けられることとなる。
【００７５】
組立状態において、縁部１０３７は、マイクシート１２７に対して当接しており、前側から圧縮されている。これにより、撮像装置１００内部などからの音の回り込みを防止し、正面側の記録したい音のみを記録する事が可能となる。また、縁部１０３７が圧縮された状態で配置されているゴム１０３２であっても、その圧縮量は縁部１０３７の一部が潰れる程度であり、スリット１０３９の部位では空間が空くこととなり、この空間を空気が流れる事が可能となっている。
【００７６】
また仮に、部品の出来上がり寸法のバラツキ等により、マイク保持部ｂ１２１２と前カバー１２７が接触する形で配置されたとしても、二つの溝１２１８はバリアレバー保持部材１２１の最前面部よりも凹となっているため、この部位にも必ず空間が空く。そのため、この空間を空気が流れる事が可能となっている。
【００７７】
受けリブ１２１７は、前述のように、凹み１２１６の後ろ側に配置されている。そしてこの位置はスリット形状１２８３よりも後ろ側であり、外観側からその姿を目視することは出来ない位置である。この受けリブ１２１７をスリット形状１２８３の後ろ側に配置する構成を採ることにより、スリット形状１２８３の後ろ側の化粧カバー１２８を裏側から支える事が可能となり、化粧カバー１２８の強度確保に貢献している。また、外観側から目視出来ない位置にあるため、外観品位も非常に良い物となっている。
【００７８】
また、受けリブ１２１７がスリット形状１２８３の後ろ側にあることによって、流れて来た風が撮像装置１００の内部に流れていく事を防ぎ、確実にスリット形状１２８３側へ流す事が可能となっている。
【００７９】
凹み１２１６は前後方向に伸びる溝形状であり、スリット形状１２８３は上下方向に伸びる切り欠きである。すなわち、凹み１２１６とスリット形状１２８３は直交する形で配置されている。これにより、内部に空気をスムーズに流す空間を確保しつつ、化粧カバー１２８の強度を確保する事が可能となる。
【００８０】
＜風の流れの説明＞
以上説明したような、本実施例のマイク１０３では、正面側、パンチングメタル１２８２からマイク１０３内に強い風圧が侵入してきても、その風圧は、まずマイクシート１２６及びマイクスポンジ１２５によって減衰される。さらに、スリット１０３９、溝１２１８を通り、凹み１２１６側に導かれ、最終的にスリット形状１２８３から外部にスムーズに排出するという経路を通ることとなる（図１８内の矢印Ｄ）。
【００８１】
そのため、マイクエレメント１０３１の集音部１０３３近傍で渦を巻くこと無く風雑音を低減する事が可能となる。
【００８２】
なおこの時、両部品の開口率をマイクエレメント１０３１に近い側のマイクスポンジ１２５が相対的に疎、遠い側のマイクシート１２６が相対的に密、となっている。
【００８３】
さらにこの時、両部品の厚みをマイクエレメント１０３１に近い側のマイクスポンジ１２５が相対的に厚、遠い側のマイクシート１２６が相対的に薄、となっている。
【００８４】
前述のように、マイクスポンジ１２５とマイクエレメント１０３１の間には空間が設けられている。
【００８５】
なお、内部に配置される風防部材である、マイクスポンジ１２５とマイクシート１２６は密着して配置されている。前述のように、マイクシート１２６と化粧カバー１２８の間には空間が設けられている。
【００８６】
ここまで、右側のマイク１０３ａについて詳細に説明を行ってきたが、左側のマイク１０３ｂは撮像レンズ１０１の光軸を挟んで右側のマイク１０３ａと対称形に構成されているため、その詳細な説明は割愛する。
【００８７】
以上説明した本実施例に示す効率的な風防構造を取ることにより、内部に空間を有する風防効果の高いマイク室構造においても、高剛性化を実現出来るマイク室構造を有する撮像装置を提案する事が可能となる。
【００８８】
尚、機械的構成要素は前述の構成に限定されるものではない。また、本実施例では、撮像装置を一例に挙げ、マイク装置に付いて説明を行ったが、本発明と同様の効果が得られるものであれば、どのような構成であっても適応されることは言うまでも無い。
【符号の説明】
【００８９】
１００  ‥‥撮像装置
１０１  ‥‥撮影レンズ
１０１１‥‥前玉
１０２  ‥‥バリア
１０３  ‥‥マイク
１０３１‥‥マイクエレメント
１０３２‥‥ゴム
１０３２ａ‥内側面
１０３３‥‥集音部
１０３４‥‥電気的接点部
１０３５‥‥正面開口部
１０３６‥‥ベース面
１０３７‥‥縁部
１０３８‥‥背面開口部
１０３９‥‥スリット
１０４  ‥‥バリアレバー
１０４１‥‥長溝
１１０  ‥‥画角
１１１  ‥‥バリアベースユニット
１１２  ‥‥バリアレバー保持ユニット
１１３  ‥‥連結アーム
１１３１‥‥連結アームプレート
１１３２‥‥回転スリーブ
１１３３‥‥連結ピン
１１３４‥‥連結孔
１１４  ‥‥バリアベース
１１４１‥‥外観部
１１４２‥‥丸穴
１１４３‥‥係合穴
１１４４‥‥軸
１１４５‥‥マイク保持部ａ
１１５  ‥‥根本側回転アーム
１１５１‥‥連結アームとの連結ボス
１１６  ‥‥先端側アーム
１１６１‥‥スライド動作する軸部
１１６２‥‥バリア連結軸
１１７  ‥‥コイルバネ
１１８  ‥‥回動アームユニット
１１９  ‥‥シャフト
１２０  ‥‥羽根
１２０１‥‥バリア連結フック
１２１  ‥‥バリアレバー保持部材
１２１１‥‥爪
１２１２‥‥マイク保持部ｂ
１２１３‥‥切り欠き
１２１４‥‥リブ形状
１２１５‥‥側壁
１２１６‥‥凹み
１２１７‥‥受けリブ
１２１８‥‥溝
１２２  ‥‥ボール
１２３  ‥‥コイルスプリング
１２４  ‥‥バリアレバー押さえカバー
１２４１‥‥フック部
１２５  ‥‥マイクスポンジ
１２６  ‥‥マイクシート
１２７  ‥‥前カバー
１２７１‥‥開口形状
１２７２‥‥穴
１２８  ‥‥化粧カバー
１２８１‥‥開口部
１２８２‥‥パンチングメタル
１２８３‥‥スリット形状
１２９  ‥‥バリア軌跡
１３０  ‥‥光軸
【図１】
2015104089.tif 000003
【図２】
2015104089.tif 000004
【図３】
2015104089.tif 000005
【図４】
2015104089.tif 000006
【図５】
2015104089.tif 000007
【図６】
2015104089.tif 000008
【図７】
2015104089.tif 000009
【図８】
2015104089.tif 000010
【図９】
2015104089.tif 000011
【図１０】
2015104089.tif 000012
【図１１（ａ）】
2015104089.tif 000013
【図１１（ｂ）】
2015104089.tif 000014
【図１１（ｃ）】
2015104089.tif 000015
【図１１（ｄ）】
2015104089.tif 000016
【図１２（ａ）】
2015104089.tif 000017
【図１２（ｂ）】
2015104089.tif 000018
【図１２（ｃ）】
2015104089.tif 000019
【図１２（ｄ）】
2015104089.tif 000020
【図１３】
2015104089.tif 000021
【図１４】
2015104089.tif 000022
【図１５】
2015104089.tif 000023
【図１６】
2015104089.tif 000024
【図１７】
2015104089.tif 000025
【図１８】
2015104089.tif 000026